(57)【要約】      （修正有）【課題】保温容器内部の液体の関連情報を使用者に知らせるインテリジェント型保温容器を提供する。【解決手段】インテリジェント型保温容器１は少なくとも、容器本体１０、蓋体２０、少なくとも一つの表示ユニット３０、温度センサ４０、制御器５０、及び電源供給モジュール６０を有する。容器本体内には液体を入れるための容置空間１１を備え、蓋体は容器本体に設けて容置空間を閉じるために用いる。表示ユニット、温度センサ、制御器、及び電源供給モジュールは容器本体に設ける。温度センサによって容置空間内に入れた液体の温度感知を行って信号を生じさせ、信号を制御器に伝送し、表示ユニットに対応する表示を行なわせる。これにより、使用者は表示ユニットを通して保温容器内に入れた液体の温度を知ることができる。【選択図】図１
0003189798.tif 000002
【実用新案登録請求の範囲】
【請求項１】
容器本体、蓋体、少なくとも一つの表示ユニット、温度センサ、制御器、及び電源供給モジュールを有するインテリジェント型保温容器であって、
前記容器は、容置空間、及び容置空間に繋がる開口を有し、前記容置空間は液体を入れるものであり、
前記蓋体は、前記容器本体の開口箇所に設け、前記容置空間を閉じるためのものであり、
少なくとも一つの前記表示ユニットは、前記容器本体に設置し、並びに、容器本体の外側に向かって表示する効果を備え、
前記温度センサは、前記容器本体に設置し、容置空間内に入れた液体の温度を感知して信号を生じさせ、
前記制御器は、前記容器本体に設置し、それぞれを前記表示ユニットと温度センサに接続し、信号を受信して前記表示ユニットに伝送し、対応させて表示し、
前記電源供給モジュールは、前記容器本体に設けて、前記制御器に接続し、電力源を提供するものであることを特徴とするインテリジェント型保温容器。
【請求項２】
前記制御器には起動ユニットをさらに接続し、前記起動ユニットは前記容器本体に設け、前記起動ユニットは外部からの信号を受信し、前記制御器によって前記電源供給モジュールが電力を供給するか否かをコントロールすることを特徴とする請求項１に記載のインテリジェント型保温容器。
【請求項３】
前記起動ユニットは光線センサであることを特徴とする請求項２に記載のインテリジェント型保温容器。
【請求項４】
前記起動ユニットは重力方向センサであることを特徴とする請求項２に記載のインテリジェント型保温容器。
【請求項５】
前記起動ユニットはタッチセンサであることを特徴とする請求項２に記載のインテリジェント型保温容器。
【請求項６】
前記表示ユニットは液晶表示器、可撓式表示器、或いは七段階式表示器であることを特徴とする請求項１乃至５のいずれか一項に記載のインテリジェント型保温容器。
【請求項７】
前記表示ユニットと前記制御器の間にはさらに、前記表示ユニットと前記制御器を接続するのに用いるコネクタを設けることを特徴とする請求項１乃至５のいずれか一項に記載のインテリジェント型保温容器。
【請求項８】
前記電源供給モジュールには少なくとも一つの電池、及び前記電池に接続する充電差込口を設け、前記充電差込口は前記容器本体に露出することを特徴とする請求項１乃至５のいずれか一項に記載のインテリジェント型保温容器。
【考案の詳細な説明】
【技術分野】
【０００１】
本考案は、特に、保温容器内部の液体の関連情報を使用者に知らせるインテリジェント型保温容器に関する。
【背景技術】
【０００２】
従来のコップ（瓶）に入れた飲料は、常温の環境の下で一定時間放置すると、飲料の温度は熱量発散作用或いは熱量吸収作用を受けて、時間とともに迅速に変化し、徐々に外部の環境温度に近づき、最終的に外部と同じ温度に達する。そこで考え出されたのが保温容器である。それは主に、断熱方式を用いたものであり、内部飲料の熱エネルギーが発散されて温度降下する或いは飲料が外部の熱エネルギーを吸収して温度上昇するのを防ぎ、保温容器内に入れた飲料を長時間、熱い状態または冷たい状態に保つ。よって、コップ（瓶）を冷蔵庫内に入れて保存したり再び加熱装置で温度を上げる必要がなく、飲料の温度を再び変化させるために消耗されるエネルギーを減少することができる。
【考案の概要】
【考案が解決しようとする課題】
【０００３】
しかしながら、保温容器（ボトル）は一定の保温効果を提供できるが、内部の飲料はやはり時間が経つにつれて徐々に温度が下がってしまう。また、一般の保温容器は、保温容器内部の温度の関連情報を使用者に知らせることがないため、使用者は飲料の現在の温度が飲用に適するかどうかを予め知る事ができず、飲用時に誤って火傷をしてしまうこともある。
【０００４】
前述の問題に鑑み、本考案は、特に保温容器内部の液体の関連情報を使用者に知らせるインテリジェント型保温容器を提供することを主な目的とする。
【課題を解決するための手段】
【０００５】
前述の目的を達成するために、本考案のインテリジェント型保温容器は少なくとも、容器本体、蓋体、少なくとも一つの表示ユニット、温度センサ、制御器、及び電源供給モジュールを有する。前記容器本体内には液体を入れるための容置空間を備え、前記蓋体は前記容器本体に設け、前記容置空間を閉じるためのものである。前記表示ユニット、前記温度センサ、前記制御器、及び前記電源供給モジュールは前記容器本体に設ける。
【０００６】
前記温度センサは容置空間内に入れた液体に対して温度感知を行い信号を生じさせ、前記制御器に伝送された前記信号によって、前記表示ユニットはそれに対応する表示を行なう。これにより、使用者は表示ユニットを通して保温容器内に入れた液体の温度を知ることができる。
【考案の効果】
【０００７】
本考案のインテリジェント型保温容器は、特に保温容器内部の液体の関連情報を使用者に知らせる効果を有する。
【図面の簡単な説明】
【０００８】
【図１】本考案によるインテリジェント型保温容器の構造立体図である。
【図２】本考案によるインテリジェント型保温容器のブロック図である。
【図３】本考案によるインテリジェント型保温容器のもう一つの構造立体図である。
【図４】本考案によるインテリジェント型保温容器のもう一つのブロック図である。
【考案を実施するための形態】
【０００９】
本考案の特徴を明確に理解していただくために、次に、本案の図面及び実施例を参照とした詳細説明を行なう。
【実施例】
【００１０】
図１には本考案のインテリジェント型保温容器の構造立体図を、図２には本考案のインテリジェント型保温容器のブロック図を示す。本考案のインテリジェント型保温容器１は少なくとも、容器本体１０、蓋体２０、少なくとも一つの表示ユニット３０、温度センサ４０、制御器５０、及び電源供給モジュール６０を有する。
【００１１】
前記容器本体１０には容置空間１１、及び容置空間１１に繋がる開口１２を有し、前記容置空間１１には液体を入れる。
【００１２】
前記蓋体２０は前記容器本体の開口１２箇所に設け、前記容置空間１１を閉じるためのものである。
【００１３】
少なくとも一つの前記表示ユニット３０は前記容器本体１０に設置し、容器本体１０の外側に向かって表示する効果を備える。前記表示ユニット３０は液晶表示器、可撓式表示器、或いは七段階式表示器（図３参照）である。
【００１４】
前記温度センサ４０は前記容器本体１０に設置し、容置空間１１内に入れた液体の温度を感知し信号を生じさせる。
【００１５】
前記制御器５０は前記容器本体１０に設置し、それぞれを前記表示ユニット３０と温度センサ４０に接続し、信号を受信して前記表示ユニット３０に伝送し、対応させて表示する。前記表示ユニット３０と前記制御器５０の間にはさらにコネクタ（未図示）を設け、前記表示ユニット３０と前記制御器５０を接続するのに用いる。
【００１６】
前記電源供給モジュール６０は前記容器本体１０に設けて、前記制御器５０と接続し、電力源を提供する。前記電源供給モジュール６０には少なくとも一つの電池６１、前記電池に接続する充電差込口６２を設け、前記充電差込口６２は前記容器本体１０に露出する。本実施例では、前記充電差込口６２はＵＳＢポートの形態である。
【００１７】
容器本体１０内に液体を入れた時、前記温度センサ４０は容置空間１１内に入れた液体に対して温度の感知を行い信号を生じさせ、前記信号は前記制御器５０によって前記表示ユニット３０に伝送され、それに対応する表示を行なう。即ち、感知した温度値（例えば５５度）を直接表示するか、或いは七段階式表示器を表示ユニットとして温度の高低を表示する。これにより、使用者は保温容器内部の液体の現在の温度が飲用に適するか否かを知ることができ、使用者が飲用する際に火傷をさせないようにする。
【００１８】
さらに、図４に示す通り、前記制御器５０には起動ユニット７０をさらに接続する。前記起動ユニット７０は前記容器本体（未図示）に設け、前記起動ユニット７０は外部から信号を受信し、前記制御器５０によって前記電源供給モジュール６０が電力を供給するか否かをコントロールし、節電効果を達成する。前記起動ユニット７０は光線センサとしてもよい。これにより、前記起動ユニット７０が比較的暗い外部の光線を受信した時、信号を発信し、前記電源供給モジュール６０に前記表示ユニット３０に対して電力を供給させて、正常に発光表示させる。当然ながら、前記起動ユニット７０は重力方向センサ或いはタッチセンサとしてもよい。
【００１９】
前述をまとめると、本考案は、実施可能なインテリジェント型保温容器を提供するものである故、ここに法に依拠して実用新案の出願を行う。本考案の技術内容及び技術特徴はすでに上述したとおりであり、本技術に熟知する者が本考案の開示に基づいて本考案の精髄を逸脱せずに各種の置換えや修飾を行なうことは可能である。よって、本考案の保護範囲は実施例の開示の範囲に制限されないものとし、本考案の精髄を逸脱せずに行なわれた各種置換えや修飾を含み、尚且つ以下の実用新案登録請求の範囲を包含するものとする。
【符号の説明】
【００２０】
１      保温容器
１０    容器本体
１１    容置空間
１２    開口
２０    蓋体
３０    表示ユニット
４０    温度センサ
５０    制御器
６０    電源供給モジュール
６１    電池
６２    充電差込口
７０    起動ユニット
【図１】
0003189798.tif 000003
【図２】
0003189798.tif 000004
【図３】
0003189798.tif 000005
【図４】
0003189798.tif 000006